(57)【要約】【課題】制御装置や電源コードのコード接続部の防水をより向上させ、修理、点検を容易にするドラム式洗濯機を提供する。【解決手段】水槽３は、回転軸心５ｂが開口端側から底面側に向けて下向き傾斜となるように配置された回転ドラム５を収納する水槽本体３ａと回転ドラム５の開口端側に設けられた水槽蓋３ｂとからなり、開口部９と洗濯物出入口１１とを繋ぐシール部材１３とを備え、制御装置２０と電源コード２１とのコード接続部２１ａは、水槽本体３ａと水槽蓋３ｂとの接合部である接合部３ｃの位置（一点鎖線ｘ）、および水槽蓋３ｂの洗濯物出入口１１とシール部材１３とのシール面１３ａの位置（一点鎖線ｙ）よりも正面側に配置されて位置するようにしたので、万一水漏れが起こった場合にも、制御装置２０や電源コードの接続部２１ａには、水槽底面に漏れて滴下する水が直接かかることがない。【選択図】図１
2006068055.tif 000002
【特許請求の範囲】
【請求項１】
洗濯機筐体と、前記洗濯機筐体内に配され水槽本体と水槽蓋とから構成された水槽と、前記水槽内に回転自在に収容され有底円筒形に形成されるとともにその回転軸心が開口端側から底面側に向けて下向き傾斜となるように配置された回転ドラムと、前記水槽蓋の前記回転ドラムの開口端の対応位置に設けられ洗濯物を出し入れするための洗濯物出入口と、前記回転ドラムを回転駆動するモータと、前記水槽内に給水する給水手段と、前記水槽内の水を排水する排水手段と、前記モータ、給水手段および排水手段等の動作を制御する制御装置と、前記制御装置に商用電源を供給する電源コードと、前記洗濯機筐体の正面側に形成された傾斜面に設けられた開口部と、この開口部に開閉自在に設けられた扉体と、前記開口部と前記洗濯物出入口とを繋ぐシール部材とを備え、前記制御装置と前記電源コードとのコード接続部は、前記洗濯機筐体内の前記水槽の下方正面側に位置し、前記水槽蓋と水槽本体の接合部および前記洗濯物出入口と前記シール部材の接合部よりも正面側に位置したことを特徴とするドラム式洗濯機。
【請求項２】
コード接続部および制御部正面側に対応する洗濯機筐体の一部は、取り外し可能な前面筐体部を設けたことを特徴とする請求項１記載のドラム式洗濯機。
【発明の詳細な説明】
【技術分野】
【０００１】
本発明は、洗濯、すすぎ、脱水の一連の行程を実行するドラム式洗濯機に関するものである。
【背景技術】
【０００２】
ドラム式洗濯機では、筐体内に水槽ユニットを配し、水槽ユニットは、水槽と、水平方向に回転軸を有し有底円筒形に形成された回転ドラムと、回転ドラムを駆動するモータからなり、水槽は回転ドラムを収納する水槽本体と回転ドラムの開口端側に設けられた水槽蓋とからなり、水槽に給水する給水手段と、水槽内の水を排水する排水手段と、モータ、給水手段および排水手段等の動作を制御する制御装置と、制御装置に商用電源を供給する電源コードと、洗濯機筐体の正面側に設けられた開口部と、この開口部に開閉自在に設けられた扉と、開口部と水槽蓋とを繋ぐシール部材を備えている。
【０００３】
このドラム式洗濯機において、洗濯、脱水を行う際には、回転ドラム内に衣類を投入し、給水手段により、水槽ユニットに所定量給水し、モータの駆動により回転ドラムを回転させ、洗濯、脱水が行われる。このため、水槽本体と、水槽蓋および水槽蓋とシール部材の水漏れに対するシール構造は十分に行われている（例えば、特許文献１参照）。
【特許文献１】特開平９−２１５８９４号公報
【発明の開示】
【発明が解決しようとする課題】
【０００４】
しかしながら、上記特許文献１に開示されたような従来技術に係るドラム式洗濯機においては、回転ドラムの回転中に衣類の偏りが発生すると、回転ドラムは偏心力が働くため、水槽ユニットは上下や左右に大きく振れ動く場合がある。この時、水槽本体や水槽蓋には部分的な応力が加わるため、水槽本体と、水槽蓋および水槽蓋とシール部材のシール構造に隙間が生じて水漏れを発生する恐れがある。そのような場合のために、この回転ドラムの駆動等を行う制御装置や電源コードのコード接続部を水槽下部に配置した場合には、水槽やシール部材のシール構造部からの水漏れの恐れがあるために、制御部や電源コードとのコード接続部には十分な防水構造を施す必要があった。
【０００５】
また、回転ドラムが略水平な場合には、水槽やシール部材のシール構造部からの水漏れが起こった場合には、この漏れた水が水槽の外周底面を伝って下方に滴下するが、水槽がほぼ水平であるため、水槽の前方、後方のいずれに滴下するかは安定しない。このため、制御装置や電源コードのコード接続部を水槽の下方に配置した場合には、十分な防水構造を施す必要があった。
【０００６】
また、回転ドラムをその回転軸心が開口端側から底面側に向けて下向き傾斜になるように水槽内に配置した場合でも、水槽本体と、水槽蓋および水槽蓋とシール部材の位置より後方の位置においては、水槽の外周底面を伝って下方に滴下するため、上記同様に、やはり十分な防水構造を施す必要があった。しかし、制御装置や電源コードのコード接続部は漏水による機器の故障以外にも、その他の故障により、点検、修理、部品交換の必要のある部品、場所であるため、過剰な防水構造を施していると非常にサービス性が悪くなってしまうという課題があった。
【０００７】
本発明は、前記従来の課題を解決するもので、水槽等からの水漏れによる故障、事故の恐れがなく、点検、修理、部品交換の際にも、容易に作業が行えるドラム式洗濯機を提供することを目的とする。
【課題を解決するための手段】
【０００８】
上記従来の課題を解決するために、本発明のドラム式洗濯機は、洗濯機筐体と、前記洗濯機筐体内に配され水槽本体と水槽蓋とから構成された水槽と、前記水槽内に回転自在に収容され有底円筒形に形成されるとともにその回転軸心が開口端側から底面側に向けて下向き傾斜となるように配置された回転ドラムと、前記水槽蓋の前記回転ドラムの開口端の対応位置に設けられ洗濯物を出し入れするための洗濯物出入口と、前記回転ドラムを回転駆動するモータと、前記水槽内に給水する給水手段と、前記水槽内の水を排水する排水手段と、前記モータ、給水手段および排水手段等の動作を制御する制御装置と、前記制御装置に商用電源を供給する電源コードと、前記洗濯機筐体の正面側に形成された傾斜面に設けられた開口部と、この開口部に開閉自在に設けられた扉体と、前記開口部と前記洗濯物出入口とを繋ぐシール部材とを備え、前記制御装置と前記電源コードとのコード接続部は、前記洗濯機筐体内の前記水槽の下方正面側に位置し、前記水槽蓋と水槽本体の接合部および前記洗濯物出入口と前記シール部材の接合部よりも正面側に位置したものである。
【０００９】
これによって、水槽本体と水槽蓋の接合部および洗濯物出入口とシール部材の接合部から、万一水漏れが起こった場合にも、制御装置や電源コードのコード接続部は、水槽本体と水槽蓋の接合部および洗濯物出入口とシール部材の接合部よりも正面側に位置しているために、水槽底面に漏れて滴下する水が直接かかることがない。このため、漏水による機器の故障、事故の恐れもなく、また過度の防水構造を施す必要がないため、点検、修理、部品交換の際にも、容易に作業が行える洗濯機を構成することができる。
【発明の効果】
【００１０】
本発明によれば、水槽等からの水漏れによる制御部や電源コードのコード接続部の故障、事故の恐れがなく、点検、修理、部品交換の際にも、容易に作業が行える。
【発明を実施するための最良の形態】
【００１１】
第１の発明は、洗濯機筐体と、前記洗濯機筐体内に配され水槽本体と水槽蓋とから構成された水槽と、前記水槽内に回転自在に収容され有底円筒形に形成されるとともにその回転軸心が開口端側から底面側に向けて下向き傾斜となるように配置された回転ドラムと、前記水槽蓋の前記回転ドラムの開口端の対応位置に設けられ洗濯物を出し入れするための洗濯物出入口と、前記回転ドラムを回転駆動するモータと、前記水槽内に給水する給水手段と、前記水槽内の水を排水する排水手段と、前記モータ、給水手段および排水手段等の動作を制御する制御装置と、前記制御装置に商用電源を供給する電源コードと、前記洗濯機筐体の正面側に形成された傾斜面に設けられた開口部と、この開口部に開閉自在に設けられた扉体と、前記開口部と前記洗濯物出入口とを繋ぐシール部材とを備え、前記制御装置と前記電源コードとのコード接続部は、前記洗濯機筐体内の前記水槽の下方正面側に位置し、前記水槽蓋と水槽本体の接合部および前記洗濯物出入口と前記シール部材の接合部よりも正面側に位置したもので、水槽蓋と水槽本体の接合部および洗濯物出入口とシール部材の接合部から、万一水漏れが起こった場合にも、制御装置や電源コードのコード接続部は、水槽蓋と水槽本体の接合部および洗濯物出入口とシール部材の接合部よりも正面側に位置しているために、水槽底面に漏れて滴下する水が、制御装置や電源コードのコード接続部に直接かかることがない。このため、漏水による機器の故障、事故の恐れもなく、また過度の防水構造を施す必要がないため、点検、修理、部品交換の際にも、容易に作業が行える洗濯機を構成することができる。
【００１２】
第２の発明は、特に、第１の発明のコード接続部および制御部正面側に対応する洗濯機筐体の一部は、取り外し可能な前面筐体部を設けたもので、この前面筐体部を取り外すことにより、より、制御装置や電源コードのコード接続部への点検、修理、部品交換がより容易に作業が行える洗濯機を構成することができる。
【００１３】
以下本発明の実施の形態について、図面を参照しながら説明する。なお、この実施の形態によって本発明が限定されるものではない。
【００１４】
（実施の形態１）
図１は、本発明の第１の実施の形態におけるドラム式洗濯機の断面図である。
【００１５】
図１は、本実施の形態に係るドラム式洗濯機１において、洗濯機筐体２内に図示しないサスペンション構造により水槽３が支持され、この水槽３内に有底円筒形に形成されドラム開口部５ａを有する回転ドラム５が配置されている。前記水槽３及び回転ドラム５は、開口端側を洗濯機筐体２の正面側に、底面側を洗濯機筐体２の背面側にして、その回転軸心５ｂが開口端側から底面側に向けて下向き傾斜となるように支持され、回転ドラム５は水槽３の底面に取り付けられたモータ４によって回転駆動される。
【００１６】
水槽３は、有底円筒形に形成された水槽本体３ａの開口端に、洗濯物を回転ドラム５内から出し入れするための洗濯物出入口１１を形成した水槽蓋３ｂをシール部材１０を介して接合して構成されている。この洗濯物出入口１１に対向させて洗濯機筐体２の正面側に形成された傾斜面２ａには、開口部９が設けられ、その開口部９には開閉自在に扉体８が設けられている。この扉体８を開くことにより、開口部９、洗濯物出入口１１およびドラム開口部５ａを介して回転ドラム５に洗濯物を出し入れすることができ、扉体８の一部あるいは全体を透明体によって形成することにより、回転ドラム５内を外部から透視することができる。
【００１７】
洗濯物出入口１１と開口部９との間には、柔軟な弾性体によって形成されたシール部材１３が配設され、扉体８を閉じると、扉体８の内面にシール部材１３の一端が圧接し、回転ドラム５の回転に伴って飛散する水が水槽３内から外に飛び出すのを防止している。
【００１８】
また、給水手段６により、水槽３に給水し、排水手段７により排水される。制御装置２０は電源コード２１から商用電源を取り入れコード接続部２１ａより電源が供給され、モータ４、給水手段６、排水手段７の動作を制御する。
【００１９】
制御装置２０およびコード接続部２１ａは、水槽本体３ａと水槽蓋３ｂとの接合部である接合部３ｃの位置（一点鎖線ｘ）、および水槽蓋３ｂの洗濯物出入口１１とシール部材１３とのシール面１３ａの位置（一点鎖線ｙ）よりも正面側に配置されている。前面筐体部２２は制御装置２０およびコード接続部２１ａの対応位置に位置し、筐体２の前面下部で取り外し可能となっている。
【００２０】
上記構成により、洗濯、脱水を行う際には、回転ドラム５内に衣類を投入し、給水手段６により、水槽３内に所定量給水し、モータ４の駆動により回転ドラム５を回転させ、洗濯、脱水が行われる。このため、水槽本体３ａと、水槽蓋３ｂおよび水槽蓋３ｂとシール部材１３の水漏れに対するシール構造は十分に行われている。しかしながら、回転ドラム５の回転中に衣類の偏りが発生すると、回転ドラム５は偏心力が働くため、水槽ユニット３は上下や左右に大きく振れ動く場合がある。この時、水槽本体３ａや水槽蓋３ｂには部分的な応力が加わるため、水槽本体３ａと水槽蓋３ｂとの接合部および洗濯物出入口１１とシール部材１３とのシール面１３ａに隙間が生じて水漏れを発生する恐れがある。
【００２１】
しかし、水槽本体３ａと水槽蓋３ｂとの接合部および洗濯物出入口１１とシール部材１３とのシール面１３ａから、万が一、水漏れが起こった場合でも、制御装置２０や電源コードのコード接続部２１ａは、接合部３ｃの位置（一点鎖線ｘ）およびシール面１３ａの位置（一点鎖線ｙ）よりも正面側に位置しているために、水槽底面に漏れて滴下する水が直接かかることがない。このため、漏水による機器の故障、事故の恐れもなく、また、過度の防水構造を施す必要がないため、点検、修理、部品交換の際にも、前面筐体部２２を取り外すだけで、制御部２０や電源コードのコード接続部２１ａへの作業が容易に行える洗濯機を構成することができる。
【産業上の利用可能性】
【００２２】
以上のように、本発明にかかるドラム式洗濯機は、制御装置や電源コードのコード接続部の防水をより向上させ、修理、点検を容易にするドラム式洗濯機が得られる。
【図面の簡単な説明】
【００２３】
【図１】本発明の実施の形態１におけるドラム式洗濯機の断面図
【符号の説明】
【００２４】
１  ドラム式洗濯機
２  洗濯機筐体
２ａ  傾斜面
３  水槽
３ａ  水槽本体
３ｂ  水槽蓋
４  モータ
５  回転ドラム
５ｂ  回転軸心
６  給水手段
７  排水手段
８  扉体
９  開口部
１１  洗濯物出入口
１３  シール部材
２０  制御装置
２１  電源コード
２１ａ  コード接続部
【図１】
2006068055.tif 000003